【事件の表示】
　平成１１年特許願第１７４５７９号「建屋の棧、梁、もや間に取付けられるパイプ、制御盤、ボックス、ケーブル等の取付用具」拒絶査定に対する審判事件［平成１３年１月９日出願公開、特開２００１−３４９６］について次のとおり審決する。
【結　論】
　本件審判の請求は、成り立たない。
【理　由】
【１】手続の経緯
　本願は、平成１１年６月２１日の出願であって、平成１４年８月２９日付で拒絶査定がなされ、これに対し、平成１４年９月２７日付で拒絶査定に対する審判請求がなされるとともに、同日付けで手続補正がなされた。
　
【２】平成１４年９月２７日付の手続補正についての補正却下の決定
［補正却下の決定の結論］
　平成１４年９月２７日付の手続補正（以下、「本件補正」という。）を却下する。
［理由］
（１）本件補正
　本件補正は、特許請求の範囲の減縮を目的として、その請求項１を次のとおりに補正することを含むものである。
「建屋の壁面、天井面等の面に設けた対のＣ形鋼に設けられる対の係止駒を利用した取付用具であって、
　本体部、及び上のＣ形鋼のサイドと壁面との間に形成される隙間に挿入される係止舌片とで構成した上の係止駒と、
　この上の係止駒の係止舌片に設けた前記上のＣ形鋼のサイドに被嵌される挾持部、及び挾持部より立ち上がった本体部、並びにこの本体部を前記係止舌片に固止する固定部材用の止め部材でなる固定部材と、
　前記上の係止駒の本体部より延設した連結本体部、及び当板、並びに連結部材用の止め部材で構成した連結部材と、
　本体部、及び下のＣ形鋼のサイドと壁面との間に形成される隙間に挿入される係止舌片とで構成した下の係止駒と、
　この下の係止駒の係止舌片に設けた前記下のＣ形鋼のサイドに被嵌される挾持部、及び挾持部より立ち上がった本体部、並びにこの本体部を前記係止舌片に固止する固定部材用の止め部材でなる固定部材と、
　前記下の係止駒の本体部より延設した連結本体部、及び当板、並びに連結部材用の止め部材で構成した連結部材と、
　前記上の係止駒の連結部材を、上のＣ形鋼に設け、また前記下の係止駒の連結部材を、下のＣ形鋼に設けることを特徴とした建屋の棧、梁、もや間に取付けられるパイプ、制御盤、ボックス、ケーブル等の取付用具。」
　
（２）本件補正前の特許請求の範囲の記載事項
　一方、本件補正前の、すなわち、平成１４年３月１３日付け手続補正書により補正された特許請求の範囲には次のように記載されている。
「【請求項１】建屋の壁面、天井面等の面に設けた対のC形鋼等の形鋼に設けられる対の係止駒を利用した取付用具であって、
　上の形鋼の側辺と面との間に挿入される係止舌片、及びこの係止舌片に設けた前記形鋼の上辺の一端縁に係止される挾持部、並びに前記係止舌片と直交する方向にそれぞれ設けられ、
前記形鋼の下辺に添接される左右の分岐片を有する上の係止駒
前記上の係止駒と縦梁材を固定する連結部材
　下の形鋼の側辺と面との間に挿入される係止舌片、及びこの係止舌片に設けた前記形鋼の上辺の一端縁に係止される挾持部、並びに前記係止舌片と直交する方向にそれぞれ設けられ、
前記形鋼の上辺に添接される左右の分岐片を有する下の係止駒
前記下の係止駒と縦梁材を固定する連結部材
　
前記上下の係止駒の本体部に着脱自在に設けられる縦梁材
　で構成される建屋の棧、梁、もや間に取付けられるパイプ、制御盤、ボックス、ケーブル等の取付用具。
　【請求項２】上記の連結部材が、上下の係止駒に設けた連結本体部と、この連結本体部の下側に設けた当板と、この連結本体部及び当板とを挾持する止め部材と、で構成される請求項1に記載の建屋の棧、梁、もや間に取付けられるパイプ、制御盤、ボックス、ケーブル等の取付用具。」
　
（３）判断
　本件補正後の請求項１をみると、本件補正前の請求項１，２に係る発明を特定する事項の一部であった、「（上下の係止駒が有していた）左右の分岐片」、「（上下の係止駒の本体部に着脱自在に設けられる）縦梁材」、及び、各「連結部材」が各「係止駒と縦梁材を固定する」という事項が、本件補正により脱落した。
　そして、このような補正は、請求項の削除、特許請求の範囲の減縮、誤記の訂正、明りょうでない記載の釈明のいずれをも目的とするものでないことが明らかである。
　したがって、本件補正は、特許法第１７条の２第４項の規定に違反しているから、同法第１５９条第１項において読み替えて準用する同法第５３条第１項の規定により却下すべきものである。
　よって、上記［補正却下の決定の結論］のとおり、決定する。
　
【３】本願発明について
（１）本願発明
　本願の各請求項に係る発明は、平成１４年９月２７日付手続補正が上記のとおり却下されたので、【２】（２）に記載したとおりのものと認める。
　（以下、その請求項１記載の発明を「本願発明」という。）
　
（２）引用刊行物
　原査定の拒絶の理由で引用された、特開平１１−６３３０８号公報（以下、「刊行物」という。）には、以下の記載がある。
　「【請求項２】　建屋の壁面、天井面等の面に設けたＣ形鋼又は溝形鋼等の形鋼と面との間に挿入される係止舌片、及びこの係止舌片と直交する方向にそれぞれ設けられ、前記形鋼に添接される左右の分岐片を有する上下の係止駒と、
　前記上下の係止駒と前記形鋼とを固定する固定部材と、
　前記上下の係止駒の本体部に着脱自在に設けられたこの上下の係止駒の間に差し渡し設けられる縦梁材と、
　で構成される建屋の棧、梁、もや間に取付けられるパイプ、制御盤、ボックス、ケーブル等の取付用具。」
　「【００１４】
【発明の実施の形態】以下、本発明の実施の形態（取付方法）について詳述する。
【００１５】一般的な取付け方法としては、先ず、下のＣ形鋼に下の係止駒をセットする。即ち、下の係止駒を下のＣ形鋼の外面と壁面との間に形成された隙間に挿入するとともに、下の係止駒の係止舌片を下のＣ形鋼の外面に添接する。この下の係止駒の固定部材を下のＣ形鋼の一端縁に被嵌し、この固定部材を止め部材を利用して固定又は仮締めすると、この下の係止駒は下のＣ形鋼に固定等される。そこで、この下の係止駒と、上のＣ形鋼との間隔を計測し、この間隔に相当する縦梁材を選択又は作成する。この選択等された縦梁材に上の係止駒の本体部を被嵌し、この縦梁材と本体部と一本又は数本のネジ等の止め部材を介して、両者を緊締することにより、縦梁材に上の係止駒が取付けられる。
【００１６】次いで、この上の係止駒を上のＣ形鋼の外面と壁面との間に形成された隙間に挿入し、上の係止駒の係止舌片と上のＣ形鋼の端面との間に固定部材を添接する。この上の係止駒の係止舌片と固定部材とを止め部材で固定又は仮締めする。その後、縦梁材の下端を下の係止駒の本体部に挿入し、止め部材を用いて両者を固定又は仮締めする。」
　「【００２６】図中２は固定部材であり、当該固定部材２は、下のＣ形鋼Ａの一端縁Ａ２（端片）に被嵌される挾持部２１と、当該挾持部２１から立ち上がった本体部２２から成る。当該本体部２２には一箇所又は数箇所の取付孔２２ａが設けられており、一本又は数本のネジ等の止め部材３を介して係止駒１の本体部１１に固着される。……」
　「【００２８】図中５は固定部材であり、図１〜図３、図７の如く、この固定部材５は、上のＣ形鋼Ｂの一端縁Ｂ２と挾持する挾持部５１と、当該挾持部５１から立ち上がった本体部５２から成る。当該本体部５２には一箇所又は数箇所の取付孔５２ａが設けられており、一本又は数本の止め部材３を介して係止駒４の本体部４１に固着される。」
　したがって、刊行物には以下の発明が記載されていると認められる。
「建屋の壁面、天井面等の面に設けた対のＣ形鋼等の形鋼に設けられる対の係止駒を利用した取付用具であって、
　上の形鋼の側辺と面との間に挿入される係止舌片、及びこの係止舌片に設けた前記形鋼の上辺の一端縁に係止される挾持部、並びに前記係止舌片と直交する方向にそれぞれ設けられ、前記形鋼の下辺に添接される左右の分岐片を有する上の係止駒と、この上の係止駒と前記形鋼の上辺とを固定する固定部材と、前記上の係止駒と縦梁材を固定する一本又は数本のネジ等の止め部材と、
　下の形鋼の側辺と面との間に挿入される係止舌片、及びこの係止舌片に設けた前記形鋼の上辺の一端縁に係止される挾持部、並びに前記係止舌片と直交する方向にそれぞれ設けられ、前記形鋼の上辺に添接される左右の分岐片を有する下の係止駒と、この下の係止駒と前記形鋼の上辺とを固定する固定部材と、前記下の係止駒と縦梁材を固定する一本又は数本のネジ等の止め部材と、
　前記上下の係止駒の本体部に着脱自在に設けられる縦梁材と、
　で構成される建屋の棧、梁、もや間に取付けられるパイプ、制御盤、ボックス、ケーブル等の取付用具。」
　
（３）対比・判断
　刊行物記載の発明における各「一本又は数本のネジ等の止め部材」は、上下の各係止駒と縦梁材を固定するものであるから、「連結部材」といえることが、当業者に明らかな事項である。
　一方、本願発明における、上下の各係止駒と縦梁材を固定する「連結部材」は、その構成について、請求項において何ら限定されていないから、刊行物に記載された上記「一本又は数本のネジ等の止め部材」を排除するものではないことも、当業者に明らかな事項である。
　結局、本願発明と刊行物記載の発明との間には、実質的な差異がない。
　
（４）むすび
　したがって、本願発明は、上記刊行物に記載された発明であり、特許法第２９条第１項第３号の規定に該当し特許を受けることができないものであるから、他の請求項に係る発明について検討するまでもなく、本願は、拒絶すべきものである。
　よって、結論のとおり審決する。